【事件の表示】
　特許第３００６１２５号「硬貨識別装置」の請求項１、２に係る特許に対する特許異議の申立てについて、次のとおり決定する。
【結　論】
　訂正を認める。
　特許第３００６１２５号の請求項１に係る特許を取り消す。
【理　由】
１．手続の経緯
　特許第３００６１２５号（平成３年４月１０日出願、平成１１年１１月２６日設定登録、以下、「本件特許」という。）の請求項１及び２に係る発明についての異議申立事件の手続の経緯は、以下のとおりである。
　　
　　　　　異議申立　　　　　　　　平成１２年　８月　７日
　　　　　取消理由通知（発送日）　平成１３年　２月　９日
　　　　　訂正請求　　　　　　　　平成１３年　４月１０日
　　
２．訂正の適否についての判断
（１）訂正事項
　補正された平成１３年４月１０日付訂正請求書による訂正の内容は、次のとおりである。
（Ａ）訂正事項１
　特許請求の範囲の、
「【請求項１】
　複数のコイルをコアの同一の部位に巻回し、上記複数のコイルが各々独立した発振回路を構成すると共に、これらの発振回路の発振周波数を異ならせて上記複数のコイルが磁気的にほぼ独立するように構成されたセンサーを備えた硬貨識別装置。
【請求項２】
　センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せて構成されたものである請求項１記載の硬貨識別装置。
【請求項３】
　各々の発振回路を発振させたり止めたりする発振制御回路を備えた請求項１記載の硬貨識別装置。」を、
「【請求項１】
　複数のコイルをコアの同一の部位に巻回し、上記複数のコイルが各々独立した発振回路を構成すると共に、これらの発振回路の発振周波数を異ならせて上記複数のコイルが磁気的にほぼ独立するように構成されたセンサーを備え、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せて構成された硬貨識別装置。
【請求項２】
　各々の発振回路を発振させたり止めたりする発振制御回路を備えた請求項１記載の硬貨識別装置。」と訂正する。
　　
（Ｂ）訂正事項２
　発明の詳細な説明の段落【０００６】の、
「【課題を解決するための手段】
　この課題を解決するために本発明の硬貨識別装置は、１つのコアの同一部位に複数のコイルを巻き、上記複数のコイルが各々独立した発振回路を構成すると共に、これらの発振回路の発振周波数を異ならせて上記複数のコイルが磁気的にほぼ独立するように構成された磁気センサーを備えた構成としたものである。」を、
「【課題を解決するための手段】
　この課題を解決するために本発明の硬貨識別装置は、１つのコアの同一部位に複数のコイルを巻き、上記複数のコイルが各々独立した発振回路を構成すると共に、これらの発振回路の発振周波数を異ならせて上記複数のコイルが磁気的にほぼ独立するように構成された磁気センサーを備え、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せた構成としたものである。」と訂正する。
　　
（Ｃ）訂正事項３
　発明の詳細な説明の段落【００１８】の、
「【発明の効果】
　以上のように本発明の硬貨識別装置は、１つのコアの同一部位に複数のコイルを巻き、各々のコイルが独立した発振回路を構成すると共に、これらの発振回路の発振周波数を異ならせて上記複数のコイルが磁気的にほぼ独立するように構成された磁気センサーを備えた構成とすることにより、１つの磁気センサーで硬貨の複数の特性を同時に独立して検知することができるようになり、そのため、磁気センサーの数を減らし小型化やコストダウンの可能な硬貨識別装置を提供することができるものである。」を、
「【発明の効果】
　以上のように本発明の硬貨識別装置は、１つのコアの同一部位に複数のコイルを巻き、各々のコイルが独立した発振回路を構成すると共に、これらの発振回路の発振周波数を異ならせて上記複数のコイルが磁気的にほぼ独立するように構成された磁気センサーを備え、上記センサーを構成するコアおよびコイルが、それぞれに複数のコイルを巻回した二つのコアを対向して配置し、上記複数のコイルが相互インダクタンスが正になるように直列同相接続ならびに上記相互インダクタンスが負になるように直列逆送接続したものを組合せた構成とすることにより、１つの磁気センサーで硬貨の複数の特性を同時に独立して検知することができるようになり、そのため、磁気センサーの数を減らし小型化やコストダウンの可能な硬貨識別装置を提供することができるものである。」と訂正する。
　　
（２）訂正の目的の適否、新規事項の有無及び拡張・変更の存否
　訂正事項１は、請求項１の従属請求項であった請求項２を、請求項１に繰り上げて独立請求項としたもので、特許請求の範囲の減縮を目的としたものであり、訂正事項２、３は、特許請求の範囲の減縮に伴い訂正するために、訂正前の請求項２に係る事項を、それぞれ【課題を解決するための手段】、【発明の効果】に加えたもので、明瞭でない記載の釈明を目的とするものであって、訂正事項１乃至３は、願書に添付した明細書又は図面に記載した事項の範囲内においてなされ、実質上特許請求の範囲を拡張し、又は変更するものでない。 
　　
（３）独立特許要件
　上記訂正請求書における請求項２に係る訂正は、特許異議の申立てがされていない請求項（本件特許の請求項３）についての訂正であって、特許請求の範囲の減縮を目的としたものに該当するから、訂正明細書の請求項２に係る発明の独立特許要件について検討する。
　訂正明細書の請求項２に係る発明は、訂正明細書の特許請求の範囲の請求項２に記載された事項により特定されたとおりのものである。（上記２．（１）訂正事項参照。）
　当該請求項２に係る発明は、異議申立人が提出したいずれの刊行物にも記載されておらず、また、異議申立人が提出した全刊行物に記載された発明に基づいて当業者が容易に発明できたものと認めることができない。
　したがって、訂正明細書の請求項２に係る発明は、出願の際、独立して特許を受けることができるものである。
　　
（４）まとめ
　上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　
３．特許異議の申立てについての判断
（１）本件発明
　本件発明は、訂正明細書の特許請求の範囲の請求項１に記載されたとおりの次のものにあると認められる。
「【請求項１】
　複数のコイルをコアの同一の部位に巻回し、上記複数のコイルが各々独立した発振回路を構成すると共に、これらの発振回路の発振周波数を異ならせて上記複数のコイルが磁気的にほぼ独立するように構成されたセンサーを備え、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せて構成された硬貨識別装置。」
　　
（２）引用刊行物
　当審が通知した取消しの理由に引用した国際公開第９１／０３０３２号パンフレット（以下、「刊行物１」という。）には、図面（特に、第１図、第２図）とともに、次の記載がある。                  
ア．「One aim of the present invention is to reduce the number 
of components that need to be positioned and secured when 
assembling a coin testing apparatus using inductive coils.
Another aim is to make it possible to utilize two coils 
on a common core and running at different frequencies, 
without requiring frequency filtering circuitry to separate 
the frequencies.」（第４頁１〜７行）
　そして、この翻訳文は、次のとおり。
　本発明の１つの目的は、誘導コイルを使用するコイン検査装置を組み立てる時に位置決め及び固定を必要とする構成要素の数を減らすことにある。本発明の他の目的は、周波数分離のための周波数フィルタ回路を必要としないで、共通のコアに巻かれかつ異なる周波数で動作する２個のコイルを使用できるようにすることにある。
                       　
イ．「Figure 1 shows in cross-section a coin sensing 
configuration comprising an opposed pair of inductor units,
each unit including two coils one of which encircles 
the other, Figure 2 shows a plan view of one of the inductor 
units of Figure 1, looking towards the face where the coils 
are exposed, 」(第８頁２２行〜第９頁２行）
　そして、この翻訳文は、次のとおり。
　第１図は、各ユニットが、一方が他方を取り囲む２個のコイルを含んでいる対向する１対のインダクターユニットからなるコイン感応部の断面図を示す。第２図は、コイルが露出される面に向かって見た、第１図のインダクターユニットのうちの１個の平面図を示す。
                       　
ウ．「Referring to Figure 1, the cross-section is taken 
looking downwardly into the coin path of a typical coin 
testing apparatus in which the coin 2 is rolling 
(from left to right) along a coin track 4 which is 
inclined so as to cause the coin to roll. 
Respective side walls 6 and 8 lie to either side of the coin 
track 4 so as to limit the lateral movements of the coin 
and, normally, the walls 6 and 8 are inclined to the 
vertical so that the coin is constrained, as shown, 
to roll in contact with one of the walls, in this case the wall 6.
　A first inductor unit 10 is secured, for example by the use 
of suitable adhesive, to wall 8 and a second and identical 
inductor unit 12 is similarly secured to the wall 6.
  One of the inductor units, 10, will be described in detail 
with reference to Figures 1 and 2. Inductor unit 10 
comprises an outer coil 14 which encircles an inner coil 16,
the coils 14 and 16 being in this instance concentric 
with each other.
  Coils 14 and 16 are mounted in a single body of 
high-permeability material, such as ferrite, which comprises 
an annular wall portion 18 located between the two coils, 
an annular peripheral wall portion 20 located around 
the outer coil 14, a central portion 22 which is encircled 
by the inner coil 16, and a back portion 24 which overlies 
both of the coils and links walls 18, 20 and 22 .」
（第９頁１２行〜第１０頁１３行）
　そして、この翻訳文は、次のとおり。
　第１図に関して、断面図は、コインが転がるように傾斜しているコイントラック４に沿ってコイン２が（左から右へ）転がっている、典型的なコイン検査装置のコイン通路内を下向きに見て取られている。それぞれの側壁６及び８は、コインの横方向への運動を制限するようにコイントラック４のどちらの側面にも位置しており、また側壁６及び８は、コインが一方の壁、この場合壁６、に接触して図のように転がることを強いるように、垂直に傾斜している。
　第１のインダクターユニット１０は、例えば適当な接着剤を使用して壁８に固定され、第２の同一なインダクターユニット１２は、同様に壁６に固定されている。
　一方のインダクターユニット１０は、第１図及び第２図に関して詳細に説明される。インダクターユニット１０は、内側コイル１６を取り囲む外側コイル１４からなり、コイル１４及び１６は、この場合互いに同心となっている。コイル１４及び１６は、フェライトのような高透磁率材料の単一本体に取り付けられている。この単一本体は、２個のコイル間に位置した環状壁部材１８と外側コイル１４の回りに配置した環状壁部材２０と、内側コイル１６で取り囲まれた中心部材２２と、両コイルの上に横たわりかつ壁１８、２０及び２２を連結する背面部材２４とからなっている。
                  
エ．「When both of the Colpitt's oscillators are running, 
the oscillating magnetic fields of both of the coil pairs 14, 14' 
and 16, 16' expand and contract but the field of one 
coil pair does not cut the wires of the other coil pair 
so that the two coil pairs are able to operate 
electromagnetically quite independently of each other. 
It should be mentioned that this is the ideal situation 
and that in practice there is some degree of interaction 
between the field generated by each coil and the windings 
of the coil inside (or outside) it but this can be made 
insufficiently significant to prevent satisfactory 
operation of the arrangement. 
By running the oscillator circuit containing the inner coils 16 
and 16' at about 100 kHz the maximum amplitude shift 
caused as a coin rolls between the two coils is indicative 
primarily of the material the coin is made of. 
By running the Colpitt's oscillator which includes the outer 
coils 14 and 14' at a frequency of about 1 MHz, 
the maximum frequency shift as the coin passes them is 
indicative primarily of the thickness of the coin.」
（第１２頁３〜２４行） 
　そして、その翻訳文は、次のとおり。
　両コルビッツ発振器が動作しているとき、両方のコイル対１４，１４’及び１６，１６’の発振磁界は、膨張したり収縮したりするが、２つのコイル対が互いに電磁的にまったく独立的に動作できるように、１つのコイル対の磁界は他方のコイル対の線を切らない。これは理想的な状態であり、実際は各コイルで発生した磁界とそれの内側（または外側）のコイルの巻線との間にある程度の相互作用が存在するが、これは装置の満足な動作を妨げるには不十分なものにさせることができることが言及されなければならない。
　内側コイル１６及び１６’を含む発振回路を約１００ＫＨｚで動作させることによって、コインが２個のコイル間を転がるときに引き起こされる最大振幅変化は、コインが作られている材料を主として示す。外側コイル１４及び１４’を含むコルビッツ発振器を約１ＭＨｚで動作させることによって、コインがそれらを通過する時の最大周波数変化は、コインの厚さを主として示す。
                       　
オ．「As described with reference to Figures 1 and 2,
both coil pairs 14, 14' and 16, 16' are part of respective 
self-excited oscillator circuits. 」（第１４頁８〜１０行）
　そして、その翻訳文は、次のとおり。
  第１図及び第２図に関して記載されたように、両方のコイル対１４，１４’及び１６，１６’は、おのおの自励発振器回路の一部となっている。
  
　以上のア．乃至オ．の記載及び図面からみて、刊行物１には、請求項１に係る発明に照らして、次のものが記載されていると認められる。
「複数のコイルを高透磁率材料の単一本体に巻回し、上記複数のコイルが各々独立した発振回路を構成すると共に、これらの発振回路の発振周波数を異ならせて上記複数のコイルが磁気的にほぼ独立するように構成されたセンサーを備え、上記センサーを構成する単一本体およびコイルが、それぞれに複数のコイルを巻回した二つのコアを対向して配置して構成されたコイン検査装置。」
　　
　また、同じく当審が通知した取消しの理由に引用した特公昭４４−１０６８４号公報（以下、「刊行物２」という。）には、図面（特に、第２図）とともに、次の記載がある。
カ．「検知器３ないし６はそれぞれ円形ブロック１０の中央に突出した中心部鉄芯９と、これを取り巻く環状鉄芯１１とで１つの磁気回路８を形成している。鉄芯９と１１との間に同心的に置かれた２つのコイル１１、１２がありそれぞれ一次感応コイル、二次感応コイルを構成しー次側は増幅器１２（第３図）の出力側の端部に、二次側は入力の端部にそれぞれ接続されている。」（第３欄３５〜４２行）
　　
　また、同じく当審が通知した取消しの理由に引用した特開昭６１−２６２９９０号公報（以下、「刊行物３」という。）には、図面（特に、第１図、第２図）とともに、次の記載がある。
キ．「対をなす検出コイル８及び９は、第２図ａ、ｂに示すようにポット型フェライトコア４０２Ａ〜４０２Ｄの溝に、図に示すようなコイル８ａ，８ｂ，９ａ，９ｂを埋設して構成する。」（第３頁右下欄２０行〜第４頁左上欄４行）
　　
ク．「第１図の検出コイル８は、第２図ａに示すように、硬貨通路１０、１１に対し、間隔ｄ３をおいて対向配置されたコイル８ａ，８ｂから形成され、それぞれ直列同相接続の関係に設定してあるので、それらによる電磁界の磁束方向は、矢線４１０に示すように硬貨７の内部に浸透する方向である。第２の検出コイル９は、第２図ｂに示すように、硬貨通路１０、１１に対し、間隔ｄ３をおいて対向配置されたコイル９ａ，９ｂから形成され、それぞれ直列逆相接続の関係に設定してあるので、それらによる電磁界の磁束方向は、矢線４１１に示すように硬貨７の表面を沿う方向である。すなわち、構成を大幅に変えることなく、検出コイル８、９を構成するコイル８ａ，８ｂ、コイル９ａ，９ｂの接続を直列同相、直列逆相に変えるだけで、硬貨７の材質検出用のコイル８、材厚検出用のコイルとすることができ、しかも、第１図ｂのように回路構成も簡単なものとすることができる。」（第４頁左上欄１０行〜同頁右上欄８行）
                       　
　そして、前記キ．及びク．からみて、刊行物３には、次のものが記載されていると認められる。
「センサーを構成するコアおよびコイルが、それぞれにコイルを巻回した二つのコアを対向して配置し、上記コイルを相互インダクタンスが正になるように直列同相接続または上記相互インダクタンスが負になるように直列逆相接続して構成された硬貨選別装置。」
                       　
（３）対比・判断
　そこで、本件発明と刊行物１に記載のものとを対比すると、刊行物１の「高透磁率材料の単一本体」、「コイン検査装置」は、それぞれ本件発明の「コア」、「硬貨識別装置」に相当するから、両者は、「複数のコイルをコアの同一の部位に巻回し、上記複数のコイルが各々独立した発振回路を構成すると共に、これらの発振回路の発振周波数を異ならせて上記複数のコイルが磁気的にほぼ独立するように構成されたセンサーを備え、上記センサーを構成するコアおよびコイルが、それぞれに複数のコイルを巻回した二つのコアを対向して配置して構成された硬貨識別装置。」で一致し、次記の点で相違する。
　　
相違点１
　本件発明は、コアの同一の部位に複数のコイルを巻回するのに対して、刊行物１のものが、同一の部位に巻回すものでない点。
　　
相違点２
　本件発明は、「複数のコイルを相互インダクタンスが正になるように直列同相接続ならびに上記相互インダクタンスが負になるように直列逆相接続したものを組合せて構成された」のに対し、刊行物１のものは、そのような記載がない点。
                       　
　そこで、上記相違点１，２について検討する。
・相違点１について　
　刊行物２には、前記３．（２）カ．に示したとおり、鉄芯９に同心的に２つのコイル１１、１２を巻くことが記載されており、同一の部位に複数のコイルを巻回しているものといえる。
　刊行物１及び２は、ともに硬貨の識別装置に係るものであるから、刊行物１の複数のコイルを、「コアの同一の部位に複数のコイルを巻回する」ように構成することは、当業者が容易に想到し得たものである。
                      　
・相違点２について
　刊行物３には、前記３．（２）で示したように、硬貨の識別装置において、硬貨の材質と厚みを識別するために、「センサーを構成するコアおよびコイルが、それぞれにコイルを巻回した二つのコアを対向して配置し、上記コイルを相互インダクタンスが正になるように直列同相接続または上記相互インダクタンスが負になるように直列逆相接続」した点が記載されている。
　刊行物１及び３は、ともにコイルを対向するコアに巻回する硬貨識別装置に係るものであるから、刊行物１において、複数のコイルのそれぞれに、刊行物３に記載されたものを適用し、「複数のコイルを相互インダクタンスが正になるように直列同相接続ならびに上記相互インダクタンスが負になるように直列逆相接続したものを組合せて構成されたものである」とすることは、当業者が容易に想到することができたといえる。
                      　
　さらに、本件発明が奏する作用、効果は、刊行物１乃至３の記載から容易に予測できたものである。
　したがって、本件発明は、刊行物１乃至３に記載された発明に基づいて、当業者が容易に想到し得たものである。
　　
４．むすび
　以上のとおりであるから、本件発明の特許は、特許法第２９条第２項の規定に違反してされたものである。
　したがって、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年７月１７日（２００１．７．１７）
【訂正の要旨】
（１）特許請求の範囲の請求項１乃至３の、
「【請求項１】
　複数のコイルをコアの同一の部位に巻回し、上記複数のコイルが各々独立した発振回路を構成すると共に、これらの発振回路の発振周波数を異ならせて上記複数のコイルが磁気的にほぼ独立するように構成されたセンサーを備えた硬貨識別装置。
　【請求項２】
　センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せて構成されたものである請求項１記載の硬貨識別装置。
　【請求項３】
　各々の発振回路を発振させたり止めたりする発振制御回路を備えた請求項１記載の硬貨識別装置。」を、
「【請求項１】
　複数のコイルをコアの同一の部位に巻回し、上記複数のコイルが各々独立した発振回路を構成すると共に、これらの発振回路の発振周波数を異ならせて上記複数のコイルが磁気的にほぼ独立するように構成されたセンサーを備え、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せて構成された硬貨識別装置。
　【請求項２】
　各々の発振回路を発振させたり止めたりする発振制御回路を備えた請求項１記載の硬貨識別装置。」と訂正する。
（２）発明の詳細な説明の段落【０００６】の、
「【課題を解決するための手段】
　この課題を解決するために本発明の硬貨識別装置は、１つのコアの同一部位に複数のコイルを巻き、上記複数のコイルが各々独立した発振回路を構成すると共に、これらの発振回路の発振周波数を異ならせて上記複数のコイルが磁気的にほぼ独立するように構成された磁気センサーを備えた構成としたものである。」を、
「【課題を解決するための手段】
　この課題を解決するために本発明の硬貨識別装置は、１つのコアの同一部位に複数のコイルを巻き、上記複数のコイルが各々独立した発振回路を構成すると共に、これらの発振回路の発振周波数を異ならせて上記複数のコイルが磁気的にほぼ独立するように構成された磁気センサーを備え、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せた構成としたものである。」と訂正する。
（３）発明の詳細な説明の段落【００１８】の、
「【発明の効果】
　以上のように本発明の硬貨識別装置は、１つのコアの同一部位に複数のコイルを巻き、各々のコイルが独立した発振回路を構成すると共に、これらの発振回路の発振周波数を異ならせて上記複数のコイルが磁気的にほぼ独立するように構成された磁気センサーを備えた構成とすることにより、１つの磁気センサーで硬貨の複数の特性を同時に独立して検知することができるようになり、そのため、磁気センサーの数を減らし小型化やコストダウンの可能な硬貨識別装置を提供することができるものである。」を、
「【発明の効果】
　以上のように本発明の硬貨識別装置は、１つのコアの同一部位に複数のコイルを巻き、各々のコイルが独立した発振回路を構成すると共に、これらの発振回路の発振周波数を異ならせて上記複数のコイルが磁気的にほぼ独立するように構成された磁気センサーを備え、上記センサーを構成するコアおよびコイルが、それぞれに複数のコイルを巻回した二つのコアを対向して配置し、上記複数のコイルが相互インダクタンスが正になるように直列同相接続ならびに上記相互インダクタンスが負になるように直列逆送接続したものを組合せた構成とすることにより、１つの磁気センサーで硬貨の複数の特性を同時に独立して検知することができるようになり、そのため、磁気センサーの数を減らし小型化やコストダウンの可能な硬貨識別装置を提供することができるものである。」と訂正する。
（５４）【発明の名称】
硬貨識別装置
（５７）【特許請求の範囲】
　【請求項１】　複数のコイルをコアの同一の部位に巻回し、上記複数のコイルが各々独立した発振回路を構成すると共に、これらの発振回路の発振周波数を異ならせて上記複数のコイルが磁気的にほぼ独立するように構成されたセンサーを備え
、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せて構成され
　【請求項
２
【発明の詳細な説明】
　【０００１】
　【産業上の利用分野】
　本発明は硬貨の正偽および種類を電気的に識別する硬貨識別装置に関するものである。
　【０００２】
　【従来の技術】
　近年、自動販売機が普及し、これに使用される硬貨識別装置には高い識別性能が要求されている。そのため多くの硬貨識別装置は、複数のセンサーを備えている。この種のセンサーは、コアに巻いたコイルを硬貨の通路に沿って配置し、このコイルが発振回路を構成するように形成された磁気センサーである。硬貨がこの磁気センサーに近づくとコイルのインピーダンスが変化し、それにつれて発振回路の発振レベルや周波数等が変化し、この変化量により、硬貨の正偽や種類を識別していた。
　【０００３】
　従来の硬貨識別装置の磁気センサーは、一つのコアに一本のコイルしか巻いていないか、あるいは複数のコイルを巻いていても各々のコイルが独立した発振回路を構成していないものであった。
　【０００４】
　【発明が解決しようとする課題】
　しかしながら上記従来の構成では、一つの磁気センサーで硬貨の特性を一つしか検知することができないので、得ようとする特性と同数の磁気センサーを必要とするという課題を有していた。
　【０００５】
　本発明はこのような従来の課題を解決するもので、一つの磁気センサーで硬貨の複数の特性を検知することができるようにした磁気センサーを備えた硬貨識別装置を提供することを目的とするものである。
　【０００６】
　【課題を解決するための手段】
　この課題を解決するために本発明の硬貨識別装置は、１つのコアの同一部位に複数のコイルを巻き、上記複数のコイルが各々独立した発振回路を構成すると共に、これらの発振回路の発振周波数を異ならせて上記複数のコイルが磁気的にほぼ独立するように構成された磁気センサーを備え
、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せ
　【０００７】
　【作用】
　この構成により、１つの磁気センサーで硬貨の複数の特性を検知することができるようになり、磁気センサーの数を減らし装置の小型化を図ることができる。
　【０００８】
　【実施例】
　以下、本発明の一実施例について図面を参照しながら説明する。
　【０００９】
　図３は本発明による硬貨識別装置の概要を示した構成図で、１は硬貨識別装置本体、２は硬貨投入口、３は硬貨通路、４は材質・厚み兼用センサー、５は外径センサー、６は硬貨の出口である。
　【００１０】
　図１は材質・厚み兼用センサー近傍の断面図および制御回路の構成を示すブロック図で、説明上従来の構成の外径センサーに関する部分は省略している。硬貨７の通路３は一方の側壁をなす基板８と下方に位置するレールおよびもう一方の側壁をなす基板９により構成されている。基板８と基板９のそれぞれの壁にはフェライト材のポット型コア１０，１１が対向して取り付けられている。コア１０，１１は識別しようとする最小の硬貨７の外径より小さい外径のものを用い、最小外径の硬貨７の中心がコア１０，１１の中心付近を通過するような位置に配置している。
　【００１１】
　材質・厚み兼用センサー４は、コア１０とその内部に巻かれた２本のコイル１２，１３およびコア１１とその内部に巻かれた２本のコイル１４，１５より構成されている。コイル１２とコイル１４は相互インダクタンスが正になるように直列同相接続され、発振回路１６に入る。また、コイル１３とコイル１５は相互インダクタンスが負になるように直列逆相接続され、発振回路１７に入る、発振回路１６，１７の発振波形はそれぞれ比較回路１８，１９に入力される。比較回路１８，１９は発振波形を正弦波から発振レベルを示す信号に変換する半波整流回路をそれぞれ内蔵すると共に、記憶回路２０にも接続されている。発振回路１８，１９の出力は判定回路２１に入り、判定回路２１は判定信号２２を出力する。
　【００１２】
　以上のように構成された硬貨識別装置の動作を説明する。硬貨投入口２から投入された硬貨７が材質・厚み兼用センサー４に近づくと、コイル１２〜１５のインピーダンスが変化し、それにつれて発振回路１６，１７の発振レベルが変化する。この変化量は、コイルを同相接続した発振回路１６では主に硬貨７の材質によって異なり、コイルを逆相接続した発振回路１７では主に硬貨７の厚みによって異なるように形成されている。
　【００１３】
　記憶装置２０には、正貨の種類毎に基準となる変化量があらかじめ記憶されており、比較回路１８，１９ではそれぞれ硬貨７通過時の発振レベルの変化を記憶装置２０の基準と比較し、許容誤差範囲内で一致していればその正貨の種類を示す信号を、どの種類の基準値とも一致しない場合には偽貨であることを示す信号を出力する。判定回路２１では、比較回路１８，１９からの信号が同じ正貨の種類を示す場合に限りその正貨の種類を示す信号を、その他の場合には偽貨を示す信号を判定信号２２として出力する。
　【００１４】
　以上のように本実施例によれば、二つのコアを対向して配置しそれぞれのコアに２本ずつのコイルを巻き、対向した二つのコアに巻いたコイルを一方は相互インダクタンスが正になるよう直列同相接続し、もう一方のコイルは負になるよう直列逆相接続して独立した発振回路を構成することにより、１つの磁気センサーで硬貨の材質と厚みを同時に検知することができる。
　【００１５】
　なお本実施例ではコア１０，１１を対向して配置した場合について述べたが、図２のセンサー断面図に示すように、１つのコア２３に複数のコイル２４，２５を巻き、各々のコイル２４，２５が独立した発振回路２６，２７を接続して構成された磁気センサーを備えた構成の硬貨識別装置であれば、本発明の目的を達成することができる。また。本実施例では硬貨通過時の発振レベル変化を識別に用いた例を示したが、硬貨によるコイルのインピーダンス変化を利用したものであれば、インダクタンス，周波数，位相等の変化を用いることもできる。
　【００１６】
　また、他のコイルによる影響については、実験および電子計算機による発振回路のシミュレーションにより、発振周波数を離せばこの影響を硬貨通過時の発振レベル変化に対して１％以下に抑えられることを確認している。また検知しようとする硬貨の特性に対して最適な（例えば硬貨通過時の変化量が最大になるような）発振周波数をそれぞれの発振回路で選んだ方がよいのは当然である。
　【００１７】
　なお、他のコイルの影響がわずかでも問題となるような場合には、各々の発振回路の電源部や帰還部などにスイッチを設けて、発振させたり発振を止めたりできるような構成とし、このスイッチを制御する発振制御回路を設ければ、１つのコアに巻かれた複数のコイルが同時には発振しないように制御したり、発振するコイルを適当なタイミングで切り換えることができるようになる。
　【発明の効果】
　以上のように本発明の硬貨識別装置は、１つのコアの同一部位に複数のコイルを巻き、各々のコイルが独立した発振回路を構成すると共に、これらの発振回路の発振周波数を異ならせて上記複数のコイルが磁気的にほぼ独立するように構成された磁気センサーを備え
、上記センサーを構成するコアおよびコイルが、それぞれに複数のコイルを巻回した二つのコアを対向して配置し、上記複数のコイルを相互インダクタンスが正になるように直列同相接続ならびに上記相互インダクタンスが負になるように直列逆相接続したものを組合せ
【図面の簡単な説明】
　【図１】
　本発明の一実施例における材質・厚み兼用磁気センサー近傍の断面図および制御回路の構成を示すブロック図である。
　【図２】
　本発明の第２の実施例における磁気センサーの構成を示す断面図である。
　【図３】
　本発明の一実施例における硬貨識別装置の概要を示す構成図である。
　【符号の説明】
　３　通路
　４　材質・厚み兼用磁気センサー
　７　硬貨
　８，９　基板
　１０，１１，２３　コア
　１２〜１５　コイル
　１６，１７　発振回路
　１８，１９　比較回路
　２０　記憶回路
　２１　判定回路
　２２　判定信号